(57)【要約】【課題】  本発明はマーキング情報の確認が容易で、ケーブルの製造、施工、管理、運用、撤去、廃却時の一連のデータ管理を行なうことができるケーブルあるいは光ケーブル用マーキング情報記入具を得るにある。【解決手段】ケーブルや光ケーブルの端部に取付けられるマーキング情報記入具本体と、このマーキング情報記入具本体に取付けられたタグアンテナ、このタグアンテナに接続されるように取付けられたマーキング情報が入力されたＩＣチップとからなる無線ＩＣタグとでケーブルあるいは光ケーブル用マーキング情報記入具を構成している。【選択図】  図１
2006025519.tif 000002
【特許請求の範囲】
【請求項１】
ケーブルや光ケーブルの端部に取付けられるマーキング情報記入具本体と、このマーキング情報記入具本体に取付けられたタグアンテナ、このタグアンテナに接続されるように取付けられたマーキング情報が入力されたＩＣチップとからなる無線ＩＣタグとを備えることを特徴とするケーブルあるいは光ケーブル用マーキング情報記入具。
【請求項２】
マーキング情報記入具本体はコネクタ、コネクタブーツ、コネクタカバー、チューブ、テンションメンバーキャップ、アダプタ、ラベルのうちのいずれかであることを特徴とする請求項１記載のケーブルあるいは光ケーブル用マーキング情報記入具。
【請求項３】
ケーブルや光ケーブルの端部に固定的に取付けられるマーキング情報記入具本体と、このマーキング情報記入具本体が固定的に取付けられる部位の表面にプリントあるいは固定されたタグアンテナと、このタグアンテナと接続するように前記マーキング情報記入具本体に取付けられたＩＣチップとからなることを特徴とするケーブルあるいは光ケーブル用マーキング情報記入具。
【請求項４】
マーキング情報記入具本体はコネクタ、コネクタブーツ、コネクタカバー、チューブ、テンションメンバーキャップのうちの、いずれかであることを特徴とする請求項３記載のケーブルあるいは光ケーブル用マーキング情報記入具。
【発明の詳細な説明】
【技術分野】
【０００１】
本発明はメタルケーブルあるいは光心線、光コード、光ファイバ心線、光ファイバコード、光ファイバケーブル等の光ケーブル用マーキング情報記入具に関する。
【背景技術】
【０００２】
従来のメタルケーブルや光ケーブルは製造時にメーカ名、製造年、仕様等のマーキング情報を荷札や標識テープを取付けている。
【０００３】
しかしながら、このような荷札や標識テープでのマーキング情報は確認することが難しいとともに、製造、施工、管理、運用、撤去、廃却時の一連のデータ管理はできないという欠点があった。
【特許文献１】特になし
【発明の開示】
【発明が解決しようとする課題】
【０００４】
本発明は以上のような従来の欠点に鑑み、マーキング情報の確認が容易で、ケーブルの製造、施工、管理、運用、撤去、廃却時の一連のデータ管理を行なうことができるケーブルあるいは光ケーブル用マーキング情報記入具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はケーブルや光ケーブルの端部に取付けられるマーキング情報記入具本体と、このマーキング情報記入具本体に取付けられたタグアンテナ、このタグアンテナに接続されるように取付けられたマーキング情報が入力されたＩＣチップとからなる無線ＩＣタグとでケーブルあるいは光ケーブル用マーキング情報記入具を構成している。
【０００７】
また、本発明はケーブルや光ケーブルの端部に固定的に取付けられるマーキング情報記入具本体と、このマーキング情報記入具本体が固定的に取付けられる部位の表面にプリントあるいは固定されたタグアンテナと、このタグアンテナと接続するように前記マーキング情報記入具本体に取付けられたＩＣチップとでケーブルあるいは光ケーブル用マーキング情報記入具を構成している。
【発明の効果】
【０００８】
以上の説明から明らかなように、本発明にあっては次に列挙する効果が得られる。
【０００９】
（１）ケーブルや光ケーブルの端部に固定的に取付けられるマーキング情報記入具本体と、このマーキング情報記入具本体が固定的に取付けられる部位の表面にプリントあるいは固定されたタグアンテナと、このタグアンテナと接続するように前記マーキング情報記入具本体に取付けられたＩＣチップとで構成されているので、無線ＩＣタグによって、容易にＩＣチップに入力されたマーキング情報を正確に確認することができる。
したがって、製造や施工、管理等が容易にできる。
【００１０】
（２）前記（１）によって、マーキング情報をＩＣチップに入力するので、多くの情報を入力でき、高次元化を図ることができる。
【００１１】
（３）請求項２も前記（１）、（２）と同様な効果が得られるとともに、従来から使用されている部品をマーキング情報記入具本体として利用するので、コストの低減を図ることができるとともに、複雑になるのを防止することができる。
【００１２】
（４）請求項３も前記（１）、（２）と同様な効果が得られるとともに、タグアンテナを容易に必要な大きさに設置することができる。
【００１３】
（５）請求項４も前記（１）〜（４）と同様な効果が得られる。
【発明を実施するための最良の形態】
【００１４】
以下、図面に示す本発明を実施するための最良の形態により、本発明を詳細に説明する。
【００１５】
図１ないし図５に示す本発明を実施するための最良の第１の形態において、１は光ケーブルで、この光ケーブル１は鋼線２の外周部をシース３で覆ったテンションメンバー４と、このテンションメンバー４の両側部に並列された光ファイバ５、この光ファイバ５の外周部を覆うシリコンあるいは紫外線硬化樹脂を用いた内層６、この内層６の外周部を覆うナイロン、紫外線硬化樹脂、ＰＶＣ、ＦＲＰＥ等の外層７、この外層７の外周部を覆うように縦添えされた抗張力繊維８、この抗張力繊維８の外周部を覆う熱可塑性樹脂材製のシース９とからなる光ファイバコード１０、１０と、この光ファイバコード１０、１０と前記テンションメンバー４とを覆うシース１１と、前記テンションメンバー４の端部に取付けられたテンションメンバーキャップ１２と、前記光ファイバコード１０、１０の端部にそれぞれ取付けられたコネクタ１３、１３と、このコネクタ１３、１３に取付けられたマーキング情報記入としてのタグアンテナ１４、このタグアンテナ１４に接続されたマーキング情報が入力されたＩＣチップ１５とからなる無線ＩＣタグ１６が設けられた、マーキング情報記入具本体としてのコネクタブーツ１７、１７とで構成されている。
【００１６】
上記構成の光ケーブル１は無線ＩＣタグ１６、１６が設けられたマーキング情報記入具本体としてのコネクタブーツ１７、１７を光ファイバコード１０、１０の端部に取付けているので、光ケーブル１の製造、施工、管理、運用、撤去、廃却時の一連のデータ管理を光ファイバコード１０、１０毎に行なうことができるとともに、従来のラベルに比べ、低価格化、省スペース化、作業性の向上を図ることができる。
［発明を実施するための異なる形態］
【００１７】
次に、図６ないし図３５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図６ないし図８に示す本発明を実施するための第２の形態において、前記本発明を実施するための最良の第１の形態と主に異なる点は、光ファイバコード１０、１０の端部にそれぞれマーキング情報記入具としての無線ＩＣタグ１６が設けられた、マーキング情報記入具本体としてのチューブ１８、１８を取付けた点で、このように構成した光ケーブル１Ａにしても、前記本発明を実施するための最良の第１の形態と同様な作用効果が得られる。
【００１９】
図９ないし図１１に示す本発明を実施するための第３の形態において、前記本発明を実施するための最良の第１の形態と主に異なる点は、光ファイバコード１０、１０の端部に取付けられたマーキング情報記入具としてのコネクタ１３、１３の外周に無線ＩＣタグ１６、１６が設けられたマーキング情報記入具本体としてのチューブ１９、１９を設けた点で、このように構成した光ケーブル１Ｂにしても、前記本発明を実施するための最良の第１の形態と同様な作用効果が得られる。
なお、本発明を実施する形態では光ファイバコード１０、１０の端部に取付けられたアッテネータや終端器等にもマーキング情報記入具としての無線ＩＣタグ１６を設けたチューブ１９を嵌合固定しても同様な作用効果が得られる。
【００２０】
図１２ないし図１４に示す本発明を実施するための第４の形態において、前記本発明を実施するための最良の第１の形態と主に異なる点は、光ファイバコード１０、１０の端部にマーキング情報記入具として導電性物質でタグアンテナ１４Ａ、１４Ａを形成するとともに、該タグアンテナ１４Ａ、１４Ａと接続されるようにコネクタブーツ１７、１７にＩＣチップ１５、１５を取付けた点で、このように配置した無線ＩＣタグ１６、１６を用いて構成した光ケーブル１Ｃにしても、前記本発明を実施するための最良の第１の形態と同様な作用効果が得られるとともに、タグアンテナ１４Ａを容易に任意の形状に設置することができる。
【００２１】
図１５ないし図１７に示す本発明を実施するための第５の形態において、前記本発明を実施するための第４の形態と主に異なる点は、マーキング情報記入具として光ファイバコード１０、１０の端部に導電性物質で形成したタグアンテナ１４Ａ、１４Ａと接続するようにチューブ１８Ａ、１８ＡにＩＣチップ１５、１５を取付けた点で、このように配置した無線ＩＣタグ１６、１６を用いて構成した光ケーブル１Ｄにしても、前記本発明を実施するための第４の形態と同様な作用効果が得られる。
【００２２】
図１８ないし図２０に示す本発明を実施するための第６の形態において、前記本発明を実施するための最良の第１の形態と主に異なる点は、マーキング情報記入具として無線ＩＣタグ１６を取付けたテンションメンバーキャップ１２Ａを用いた点で、このようなテンションメンバーキャップ１２Ａを用いた光ケーブル１Ｅにしてもよい。
【００２３】
図２１ないし図２３に示す本発明を実施するための第７の形態において、前記本発明を実施するための第５の形態と主に異なる点は、マーキング情報記入具としてテンションメンバー４の端部に導電性物質で形成したタグアンテナ１４Ａと接続するようにテンションメンバーキャップ１２ＡにＩＣチップ１５を取付けた点で、このように配置した無線ＩＣタグ１６を用いて構成した光ケーブル１Ｆにしてもよい。  
【００２４】
図２４ないし図２６に示す本発明を実施するための第８の形態において、前記本発明を実施するための最良の第１の形態と主に異なる点は、両端部から光ファイバコード１０、１０、１０、１０の端部に取付けられたコネクタ１３、１３、１３、１３を差し込み嵌合することができるアダプタ２０、２０にマーキング情報記入具としての無線ＩＣタグ１６、１６を取付けた点で、このようなアダプタ２０、２０を用いた光ケーブル１Ｇにしても、前記本発明を実施するための最良の第１の形態と同様な作用効果が得られる。
【００２５】
図２７ないし図２９に示す本発明を実施するための第９の形態において、前記本発明を実施するための最良の第１の形態と主に異なる点は、光ケーブル１のコネクタ１３、１３が接続される成端パネル２１の差込口２２、２２の周囲にマーキング情報記入具としての無線ＩＣタグ１６、１６を取付けた点で、このように構成することにより、誤りなく成端パネル２１の差込口２２、２２へ光ケーブル１のコネクタ１３、１３を接続することができる。
【００２６】
図３０ないし図３２に示す本発明を実施するための第１０の形態において、前記本発明を実施するための第２の形態と主に異なる点は、複数本の導体２３を撚線しながら圧縮した圧縮導体２４と、この圧縮導体２４の外周部を覆う絶縁体２５と、この絶縁体２５の端部に取付けられた無線ＩＣタグ１６を備えるマーキング情報記入具としてのチューブ２６とを用いた点で、このように構成したメタルケーブル２７にしても、前記本発明を実施するための最良の第１の形態と同様な作用効果が得られる。
【００２７】
図３３ないし図３５に示す本発明を実施するための第１１の形態において、前記本発明を実施するための第１０の形態と主に異なる点は、端部の絶縁体２５に固定具２８で紐部２９が取付けられるラベル本体３０と、このラベル本体３０に設けられたタグアンテナ１４Ａ、このタグアンテナ１４Ａに接続するように取付けられたマーキング情報が入力されたＩＣチップ１５とからなるマーキング情報記入具としての無線ＩＣタグ１６Ａを設けた点で、このような無線ＩＣタグ１６Ａが設けられたラベル３１を取付けたメタルケーブル２７Ａにしても、前記本発明を実施するための第１０の形態と同様な作用効果が得られる。
前記無線ＩＣタグ１６Ａが設けられたラベル３１は従来から一般に使用されている取付け手段を用いてメタルケーブル本体の端部に取付けてもよい。
【００２８】
なお、前記本発明の各実施の形態では２本の光ファイバコード１０、１０とテンションメンバー４をシース１１で覆ったタイプの光ケーブルについて説明したが、本発明はこれに限らず、光心線、光コード、光ファイバ心線、テープ心線、光ファイバコード、層型、ユニット型、コード型、単心スロット型、テープスロット型等の光ファイバケーブルにも同様に本発明を施すことができる。
また、メタルケーブル２７もどんなタイプのものにでも本発明を施すことができる。
【産業上の利用可能性】
【００２９】
本発明はケーブルあるいは光ケーブル用マーキング情報記入具を製造する産業で利用される。
【図面の簡単な説明】
【００３０】
【図１】本発明を実施するための最良の第１の形態の斜視図。
【図２】図１の２−２線に沿う拡大断面図。
【図３】本発明を実施するための最良の第１の形態のコネクタブーツ部の拡大図。
【図４】図３の４−４線に沿う断面図。
【図５】本発明を実施するための最良の第１の形態の無線ＩＣタグの説明図。
【図６】本発明を実施するための第２の形態の斜視図。
【図７】本発明を実施するための第２の形態の要部拡大図。
【図８】図７の８−８線に沿う断面図。
【図９】本発明を実施するための第３の形態の斜視図。
【図１０】本発明を実施するための第３の形態の要部拡大図。
【図１１】図１０の１１−１１線に沿う断面図。
【図１２】本発明を実施するための第４の形態の斜視図。
【図１３】本発明を実施するための第４の形態の要部拡大図。
【図１４】図１３の１４−１４線に沿う断面図。
【図１５】本発明を実施するための第５の形態の斜視図。
【図１６】本発明を実施するための第５の形態の要部拡大図。
【図１７】図１６の１７−１７線に沿う断面図。
【図１８】本発明を実施するための第６の形態の斜視図。
【図１９】本発明を実施するための第６の形態の要部拡大図。
【図２０】図１９の２０−２０線に沿う断面図。
【図２１】本発明を実施するための第７の形態の斜視図。
【図２２】本発明を実施するための第７の形態の要部拡大図。
【図２３】図２２の２３−２３線に沿う断面図。
【図２４】本発明を実施するための第８の形態の斜視図。
【図２５】本発明を実施するための第８の形態の要部拡大図。
【図２６】図２５の２６−２６線に沿う断面図。
【図２７】本発明を実施するための第９の形態の斜視図。
【図２８】本発明を実施するための第９の形態の要部拡大図。
【図２９】図２８の２９−２９線に沿う断面図。
【図３０】本発明を実施するための第１０の形態の斜視図。
【図３１】本発明を実施するための第１０の形態の要部拡大図。
【図３２】図３１の３２−３２線に沿う断面図。
【図３３】本発明を実施するための第１１の形態の斜視図。
【図３４】本発明を実施するための第１１の形態の要部拡大図。
【図３５】図３４の３５−３５線に沿う断面図。
【符号の説明】
【００３１】
１、１Ａ、１Ｂ、１Ｃ、１Ｄ、１Ｅ、１Ｆ、１Ｇ：光ケーブル、
２：鋼線、                    ３：シース、
４：テンションメンバー、      ５：光ファイバ、
６：内層、 ７：外層、
８：抗張力繊維、              ９：シース、
１０：光ファイバコード、      １１：シース、
１２、１２Ａ：テンションメンバーキャップ、
１３：コネクタ、１４、１４Ａ：タグアンテナ、
１５：ＩＣチップ、            １６、１６Ａ：無線ＩＣタグ、
１７：コネクタブーツ、        １８、１８Ａ：チューブ、
１９：チューブ、              ２０：アダプタ、
２１：成端パネル、            ２２：差込口、
２３：導体、                  ２４：圧縮導体、
２５：絶縁体、                ２６：チューブ、
２７、２７Ａ：メタルケーブル、２８：固定具、
２９：紐部、                  ３０：ラベル本体、
３１：ラベル。
【図１】
2006025519.tif 000003
【図２】
2006025519.tif 000004
【図３】
2006025519.tif 000005
【図４】
2006025519.tif 000006
【図５】
2006025519.tif 000007
【図６】
2006025519.tif 000008
【図７】
2006025519.tif 000009
【図８】
2006025519.tif 000010
【図９】
2006025519.tif 000011
【図１０】
2006025519.tif 000012
【図１１】
2006025519.tif 000013
【図１２】
2006025519.tif 000014
【図１３】
2006025519.tif 000015
【図１４】
2006025519.tif 000016
【図１５】
2006025519.tif 000017
【図１６】
2006025519.tif 000018
【図１７】
2006025519.tif 000019
【図１８】
2006025519.tif 000020
【図１９】
2006025519.tif 000021
【図２０】
2006025519.tif 000022
【図２１】
2006025519.tif 000023
【図２２】
2006025519.tif 000024
【図２３】
2006025519.tif 000025
【図２４】
2006025519.tif 000026
【図２５】
2006025519.tif 000027
【図２６】
2006025519.tif 000028
【図２７】
2006025519.tif 000029
【図２８】
2006025519.tif 000030
【図２９】
2006025519.tif 000031
【図３０】
2006025519.tif 000032
【図３１】
2006025519.tif 000033
【図３２】
2006025519.tif 000034
【図３３】
2006025519.tif 000035
【図３４】
2006025519.tif 000036
【図３５】
2006025519.tif 000037